(57)【要約】【課題】伝搬環境により適した伝搬路関連情報の使用を可能にすること。【解決手段】本発明の無線通信装置は、第１の推定期間についての伝搬路推定を通じて生成された第１の伝搬路関連情報と、上記第１の推定期間よりも前の１つ以上の推定期間についての伝搬路推定を通じて生成された第２の伝搬路関連情報と、の相関に関する相関情報を取得する情報取得部と、上記相関情報に基づいて、伝搬路関連情報の統計値についての制御を行う制御部と、を備える。【選択図】図４
2018157267.tif 000002
【特許請求の範囲】
【請求項１】
第１の推定期間についての伝搬路推定を通じて生成された第１の伝搬路関連情報と、前記第１の推定期間よりも前の１つ以上の推定期間についての伝搬路推定を通じて生成された第２の伝搬路関連情報と、の相関に関する相関情報を取得する情報取得部と、
前記相関情報に基づいて、伝搬路関連情報の統計値についての制御を行う制御部と、
を備える無線通信装置。
【請求項２】
前記統計値は、伝搬路関連情報の平均値である、請求項１に記載の無線通信装置。
【請求項３】
前記制御は、前記統計値を使用するかの判定である、請求項１又は２に記載の無線通信装置。
【請求項４】
前記相関情報は、前記第１の伝搬路関連情報と前記第２の伝搬路関連情報との相関度を示す情報であり、
前記制御部は、前記相関情報により示される前記相関度が所定の相関度よりも高い場合に、前記統計値を使用すると判定する、
請求項３に記載の無線通信装置。
【請求項５】
前記制御は、前記統計値の算出に使用するパラメータの決定である、請求項１又は２に記載の無線通信装置。
【請求項６】
前記統計値は、伝搬路関連情報の加重平均値であり、
前記パラメータは、加重平均値の算出に使用する重み係数である、
請求項５に記載の無線通信装置。
【請求項７】
前記第１の伝搬路関連情報、前記第２の伝搬路関連情報、及び前記伝搬路関連情報は、伝搬路推定値である、請求項１〜６のいずれか１項に記載の無線通信装置。
【請求項８】
前記制御の結果を示す制御情報、又は前記相関情報に基づいて、伝搬路推定値から固有値及び固有ベクトル又はビームフォーミング重みを算出する周期を決定する周期決定部、をさらに備える、請求項１〜７のいずれか１項に記載の無線通信装置。
【請求項９】
第１の推定期間についての伝搬路推定を通じて生成された第１の伝搬路関連情報と、前記第１の推定期間よりも前の１つ以上の推定期間についての伝搬路推定を通じて生成された第２の伝搬路関連情報と、の相関に関する相関情報を取得することと、
前記相関情報に基づいて、伝搬路関連情報の統計値についての制御を行うことと、
を含む方法。
【請求項１０】
第１の推定期間についての伝搬路推定を通じて生成された第１の伝搬路関連情報と、前記第１の推定期間よりも前の１つ以上の推定期間についての伝搬路推定を通じて生成された第２の伝搬路関連情報と、の相関に関する相関情報を取得することと、
前記相関情報に基づいて、伝搬路関連情報の統計値についての制御を行うことと、
をプロセッサに実行させるプログラム。
【発明の詳細な説明】
【技術分野】
【０００１】
本発明は、無線通信装置、方法及びプログラムに関する。
【背景技術】
【０００２】
無線通信システムにおける受信装置は、伝搬路推定を行い、当該伝搬路推定の結果（伝搬路推定値）を使用して受信信号の処理を行う。受信信号が正しく復調されるか否かは、伝搬路推定の精度に大きく依存する。そのため、例えば、受信ＳＮＲ（Signal-to-Noise  Ratio）を改善して伝搬路推定の精度を向上させるために、伝搬路推定値の時間平均化が行われる。
【０００３】
例えば、現在の伝搬路推定値と過去の伝搬路推定値との単純移動平均を行う手法がある。しかし、この手法では、伝搬環境が高速で変動する場合に、伝搬路推定値の平均値と実際の伝搬路変動値との差が大きくなり、伝搬路推定の精度が劣化する。例えば、送信装置及び／又は受信装置が高速に移動する場合に、このように伝搬路推定の精度が劣化し得る。
【０００４】
別の手法として、特許文献１には、現在の伝搬路推定値と過去の伝搬路推定値との加重移動平均を行う手法が記載されている。さらに別の手法として、特許文献２には、ＳＩＲ（Signal-to-Interference  Ratio）又はＳＩＮＲ（Signal-to-Interference-plus-Noise  Ratio）が大きい場合に伝搬路推定値の平均値を使用する手法が記載されている。
【先行技術文献】
【特許文献】
【０００５】
【特許文献１】特開２００７−１６６１９４号公報
【特許文献２】特開２００２−３０５４７１号公報
【発明の概要】
【発明が解決しようとする課題】
【０００６】
しかし、上述した特許文献１の手法では、伝搬環境に適した伝搬路推定値を受信処理に使用することは困難である。具体的には、伝搬環境の変動が速い場合には、加重移動平均に用いられる重み係数（忘却係数）を大きくすることにより、伝搬路変動への追従性能を上げることが望ましいが、伝搬環境の変動が遅い場合には、上記重み係数を小さくすることにより、平均化利得を上げることが望ましい。このように伝搬環境によって適切な重み係数は異なるが、上記手法では、伝搬環境に応じて重み係数が調整されるわけではない。そのため、上記手法では、伝搬環境に適した伝搬路推定値を使用することは困難である。
【０００７】
また、上述した特許文献２の手法でも、伝搬環境に適した伝搬路推定値を受信処理に使用することは困難である。具体的には、例えば、ＳＩＲ／ＳＩＮＲが十分に大きいが、フェージングによる信号電力の変動がある場合、伝搬路推定値の平均値と実際の伝搬路変動値との誤差は大きくなるが、上記手法では、伝搬路推定値の平均値が受信処理に使用されてしまう。そのため、上記手法では、フェージングも含む伝搬環境に適した伝搬路推定値を使用することは困難である。
【０００８】
本発明の目的は、伝搬環境により適した伝搬路関連情報の使用を可能にする無線通信装置、方法及びプログラムを提供することにある。
【課題を解決するための手段】
【０００９】
本発明の無線通信装置は、第１の推定期間についての伝搬路推定を通じて生成された第１の伝搬路関連情報と、上記第１の推定期間よりも前の１つ以上の推定期間についての伝搬路推定を通じて生成された第２の伝搬路関連情報と、の相関に関する相関情報を取得する情報取得部と、上記相関情報に基づいて、伝搬路関連情報の統計値についての制御を行う制御部と、を備える。
【００１０】
本発明の方法は、第１の推定期間についての伝搬路推定を通じて生成された第１の伝搬路関連情報と、上記第１の推定期間よりも前の１つ以上の推定期間についての伝搬路推定を通じて生成された第２の伝搬路関連情報と、の相関に関する相関情報を取得することと、上記相関情報に基づいて、伝搬路関連情報の統計値についての制御を行うことと、を含む。
【００１１】
本発明のプログラムは、第１の推定期間についての伝搬路推定を通じて生成された第１の伝搬路関連情報と、上記第１の推定期間よりも前の１つ以上の推定期間についての伝搬路推定を通じて生成された第２の伝搬路関連情報と、の相関に関する相関情報を取得することと、上記相関情報に基づいて、伝搬路関連情報の統計値についての制御を行うことと、をプロセッサに実行させるプログラムである。
【発明の効果】
【００１２】
本発明によれば、伝搬環境により適した伝搬路関連情報の使用が可能になる。なお、本発明により、当該効果の代わりに、又は当該効果とともに、他の効果が奏されてもよい。
【図面の簡単な説明】
【００１３】
【図１】第１の実施形態に係るシステムの概略的な構成の一例を示す説明図である。
【図２】第１の実施形態に係る受信装置の概略的な構成の例を示すブロック図である。
【図３】第１の実施形態に係る伝搬路関連情報出力部の概略的な構成の例を示すブロック図である。
【図４】第１の実施形態に係る受信装置の処理の概略的な流れの例を説明するためのフローチャートである。
【図５】第１の実施形態の第２の変形例において相関情報の生成に使用される伝搬路関連情報のための伝搬路推定の例を説明するための説明図である。
【図６】第１の実施形態の第５の変形例に係る伝搬路関連情報出力部の概略的な構成の例を示すブロック図である。
【図７】第２の実施形態に係る無線通信装置の概略的な構成の例を示すブロック図である。
【図８】第２の実施形態に係る無線通信装置の処理の概略的な流れの例を説明するためのフローチャートである。
【発明を実施するための形態】
【００１４】
以下、添付の図面を参照して本発明の実施形態を詳細に説明する。なお、本明細書及び図面において、同様に説明されることが可能な要素については、同一の符号を付することにより重複説明が省略され得る。
【００１５】
説明は、以下の順序で行われる。
１．実施形態の概要
２．第１の実施形態
２．１．システムの構成
２．２．受信装置の構成
２．３．処理の流れ
２．４．変形例
３．第２の実施形態
３．１．無線通信装置の構成
３．２．処理の流れ
【００１６】
＜＜１．実施形態の概要＞＞
まず、本発明の実施形態の概要を説明する。
【００１７】
本発明の実施形態では、無線通信装置は、第１の伝搬路関連情報と第２の伝搬路関連情報との相関に関する相関情報に基づいて、伝搬路関連情報の統計値（例えば平均値）についての制御を行う。上記第１の伝搬路関連情報は、第１の推定期間についての伝搬路推定を通じて生成された第１の伝搬路関連情報（例えば、最新の伝搬路関連情報）である。また、上記第２の伝搬路関連情報は、上記第１の推定期間よりも前の１つ以上の推定期間についての伝搬路推定を通じて生成された伝搬路関連情報（例えば、過去の伝搬路関連情報）である。
【００１８】
例えば、上記統計値についての上記制御は、上記統計値を使用するかの判定である。あるいは、上記制御は、上記統計値の算出に使用するパラメータの決定であってもよい。
【００１９】
これにより、例えば、伝搬環境により適した伝搬路関連情報の使用が可能になる。
【００２０】
＜＜２．第１の実施形態＞＞
続いて、図１〜図６を参照して、第１の実施形態を説明する。
【００２１】
＜２．１．システムの構成＞
まず、図１を参照して、第１の実施形態に係るシステム１の構成の例を説明する。図１は、第１の実施形態に係るシステム１の概略的な構成の一例を示す説明図である。図１を参照すると、システム１は、受信装置１００及び送信装置２００を含む。受信装置１００及び送信装置２００は、無線通信装置と言える。
【００２２】
送信装置２００は無線で信号を送信し、受信装置１００は当該信号を受信する。第１の実施形態では、受信装置１００は、受信信号に基づいて、送信装置２００から受信装置１００への伝搬路の伝搬路推定を行う。
【００２３】
例えば、受信装置１００は、端末装置（あるいはユーザ装置（User  Equipment：ＵＥ）、ユーザ端末又は移動局等と呼ばれ得る）であり、送信装置２００は、基地局である。この場合に、受信装置１００は、ダウンリンクの伝搬路推定を行う。
【００２４】
なお、当然ながら、受信装置１００は、受信のみではなく送信も行い得るし、送信装置２００は、送信のみではなく受信も行い得る。例えば、受信装置１００は無線で信号を送信し得るし、送信装置２００は当該信号を受信し得る。受信装置１００及び送信装置２００は、無線通信装置と言えるが、ここでは第１の実施形態の理解が容易になるように、受信装置及び送信装置という呼称を用いる。
【００２５】
例えば、システム１は、３ＧＰＰ（Third  Generation  Partnership  Project）の規格（standard）に準拠したシステムである。より具体的には、システム１は、ＬＴＥ／ＬＴＥ−Ａｄｖａｎｃｅｄ及び／又はＳＡＥ（System  Architecture  Evolution）に準拠したシステムであってもよい。あるいは、システム１は、第５世代（５Ｇ）の規格に準拠したシステムであってもよい。当然ながら、システム１は、これらの例に限定されない。
【００２６】
＜２．２．受信装置の構成＞
次に、図２及び図３を参照して、第１の実施形態に係る受信装置１００の構成の例を説明する。
【００２７】
図２は、第１の実施形態に係る受信装置１００の概略的な構成の例を示すブロック図である。図２を参照すると、受信装置１００は、伝搬路関連情報生成部１１０、記憶部１２０、相関情報生成部１３０及び伝搬路関連情報出力部１４０を備える。
【００２８】
図３は、第１の実施形態に係る伝搬路関連情報出力部１４０の概略的な構成の例を示すブロック図である。図３を参照すると、伝搬路関連情報出力部１４０は、第１情報取得部１４１、第２情報取得部１４２、第３情報取得部１４３、制御部１４５及び出力部１４７を含む。
【００２９】
伝搬路関連情報生成部１１０、相関情報生成部１３０及び伝搬路関連情報出力部１４０は、ベースバンド（Baseband：ＢＢ）プロセッサ及び／又は他の種類のプロセッサ等の１つ以上のプロセッサと、プログラム（命令）を記憶するメモリとにより実装されてもよい。また、記憶部１２０は、メモリにより実装されてもよい。なお、上述した各メモリは、当該１つ以上のプロセッサの外に位置してもよく、又は、当該１つ以上のプロセッサの中に含まれていてもよい。
【００３０】
受信装置１００は、プログラム（命令）を記憶するメモリと、当該プログラム（命令）を実行可能な１つ以上のプロセッサとを備えてもよい。当該１つ以上のプロセッサは、上記プログラムを実行して、伝搬路関連情報生成部１１０、相関情報生成部１３０並びに／又は伝搬路関連情報出力部１４０（第１情報取得部１４１、第２情報取得部１４２、第３情報取得部１４３、制御部１４５及び／若しくは出力部１４７）の動作を行ってもよい。上記プログラムは、伝搬路関連情報生成部１１０、相関情報生成部１３０並びに／又は伝搬路関連情報出力部１４０（第１情報取得部１４１、第２情報取得部１４２、第３情報取得部１４３、制御部１４５及び／若しくは出力部１４７）の動作をプロセッサに実行させるためのプログラムであってもよい。
【００３１】
なお、当然ながら、受信装置１００は、伝搬路関連情報生成部１１０、記憶部１２０、相関情報生成部１３０及び伝搬路関連情報出力部１４０以外の構成要素も含み得る。
【００３２】
（１）伝搬路関連情報生成部１１０
伝搬路関連情報生成部１１０は、推定期間についての伝搬路推定を通じて、伝搬路関連情報を生成する。
【００３３】
−推定期間
例えば、上記推定期間は、受信装置１００のために予め構成（preconfigure）される。あるいは、上記推定期間は、予め定義（predefine）されていてもよい。
【００３４】
例えば、上記推定期間は、周期的に発生するものであり、伝搬路関連情報生成部１１０は、各推定期間についての伝搬路推定を行い、各推定期間についての伝搬路関連情報を生成する。
【００３５】
例えば、上記推定期間は、１つ以上のシンボル、１つ以上のスロット、１つ以上のサブフレーム、又は１つ以上の無線フレームである。なお、上記推定期間は、これらの例に限定されない。
【００３６】
−伝搬路推定
上記伝搬路推定は、送信装置２００から受信装置１００への伝搬路の伝搬路推定である。
【００３７】
例えば、上述したように、受信装置１００は端末装置であり、送信装置２００は基地局である。この場合に、上記伝搬路推定は、基地局（送信装置２００）から端末装置（受信装置１００）への伝搬路の伝搬路推定である。即ち、上記伝搬路推定は、ダウンリンクの伝搬路推定である。
【００３８】
例えば、送信装置２００は、推定期間内に信号（例えば参照信号（Reference  Signal：ＲＳ））を送信する。そして、受信装置１００（伝搬路関連情報生成部１１０）は、当該推定期間内の受信信号と、予め記憶している参照信号とに基づいて、送信装置２００から受信装置１００への伝搬路の伝搬路推定を行う。受信装置１００は、当該伝搬路推定を行うことにより、上記伝搬路の伝搬路推定値を算出（生成）する。なお、上記受信信号は、送信装置２００により送信される上記信号に加えて、干渉信号及び雑音を含み得る。
【００３９】
−伝搬路関連情報
−−伝搬路推定値
伝搬路関連情報は、例えば、伝搬路推定値である。即ち、伝搬路関連情報生成部１１０は、推定期間についての伝搬路推定を通じて、伝搬路推定値を生成する。
【００４０】
例えば、送信装置２００が、複数の送信アンテナを使用して信号を送信し、及び／又は、受信装置１００が、複数の受信アンテナを使用して信号を受信する。この場合に、伝搬路関連情報は、例えば、送信アンテナ数×受信アンテナ数の要素を有する伝搬路行列又は伝搬路ベクトルに含まれる個々の要素（伝搬路推定値）である。この場合に、例えば、後述する相関情報の生成、及び、後述する統計値の生成は、このような要素単位で行われる。
【００４１】
あるいは、伝搬路関連情報は、上記伝搬路行列又は上記伝搬路ベクトル（伝搬路推定値の集合）であってもよい。このような場合にも、後述する相関情報の生成、及び、後述する統計値の生成は、上記伝搬路行列又は上記伝搬路ベクトルに含まれる要素単位で行われてもよい。
【００４２】
−−生成単位（時間）
例えば、伝搬路関連情報生成部１１０は、推定期間ごとの伝搬路関連情報を生成する。
【００４３】
−−生成単位（周波数）
例えば、伝搬路関連情報生成部１１０は、周波数ブロックごとに、伝搬路推定を行い、伝搬路関連情報を生成する。即ち、伝搬路関連情報は、周波数ブロックごとの情報である。周波数ブロックは、受信装置１００のために予め構成（preconfigure）され、又は予め定義（predefine）されていてもよい。一例として、周波数ブロックは、周波数方向において１つ以上のリソースブロックを含む。
【００４４】
−出力
例えば、伝搬路関連情報生成部１１０は、伝搬路関連情報を生成し、出力する。そして、当該伝搬路関連情報は、記憶部１２０、相関情報生成部１３０及び伝搬路関連情報出力部１４０へ入力される。
【００４５】
（２）記憶部１２０
記憶部１２０は、伝搬路関連情報を記憶する。
【００４６】
例えば、記憶部１２０は、伝搬路関連情報生成部１１０により生成される伝搬路関連情報を記憶する。例えば、記憶部１２０は、各推定期間についての伝搬路推定を通じて生成される伝搬路関連情報（即ち、各推定期間についての伝搬路関連情報）を記憶する。例えば、個々の推定期間についての伝搬路関連情報は、記憶開始から所定の期間が経過するまで記憶され、当該所定の期間の経過後に削除される。
【００４７】
例えば、記憶部１２０は、記憶している伝搬路関連情報を出力し、当該伝搬路関連情報は、相関情報生成部１３０及び／又は伝搬路関連情報出力部１４０に入力される。
【００４８】
（３）相関情報生成部１３０
相関情報生成部１３０は、第１の伝搬路関連情報と第２の伝搬路関連情報との相関に関する相関情報を生成する。
【００４９】
−第１の伝搬路関連情報
上記第１の伝搬路関連情報は、第１の推定期間についての伝搬路推定を通じて生成された伝搬路関連情報（即ち、第１の推定期間についての伝搬路関連情報）である。
【００５０】
例えば、上記第１の推定期間は、ｎ番目の推定期間であり、第１の伝搬路関連情報は、ｎ番目の推定期間についての伝搬路関連情報である。例えば、上記第１の伝搬路関連情報は、ｎ番目の推定期間についての伝搬路推定値であり、ｈ（ｎ）により表される。
【００５１】
例えば、上記第１の推定期間（ｎ番目の推定期間）は、最新の（直近の）推定期間であり、上記第１の伝搬路関連情報は、伝搬路関連情報生成部１１０から出力され、相関情報生成部１３０へ入力される。即ち、上記第１の伝搬路関連情報は、最新の伝搬路関連情報である。
【００５２】
−第２の伝搬路関連情報
上記第２の伝搬路関連情報は、上記第１の推定期間よりも前の１つ以上の推定期間についての伝搬路推定を通じて生成された伝搬路関連情報である。
【００５３】
例えば、上記第２の伝搬路関連情報は、上記第１の推定期間の直前の第２の推定期間についての伝搬路推定を通じて生成された伝搬路関連情報（即ち、第２の推定期間についての伝搬路関連情報である。
【００５４】
例えば、上記第２の推定期間は、ｎ−１番目の推定期間であり、第２の伝搬路関連情報は、ｎ−１番目の推定期間についての伝搬路関連情報である。例えば、上記第２の伝搬路関連情報は、ｎ−１番目の推定期間についての伝搬路推定値であり、ｈ（ｎ−１）により表される。
【００５５】
例えば、上記第２の推定期間（ｎ−１番目の推定期間）は、最新の（直近の）推定期間の直前の推定期間であり、上記第２の伝搬路関連情報は、記憶部１２０に記憶されており、相関情報生成部１３０へ入力される。即ち、上記第２の伝搬路関連情報は、過去の伝搬路関連情報である。
【００５６】
−相関情報
例えば、上記相関情報は、上記第１の伝搬路関連情報と上記第２の伝搬路関連情報との相関度を示す情報である。具体的には、例えば、上記相関情報は、当該相関度を示す相関値である。例えば、上記相関度が高いほど、上記相関値は大きくなり、上記相関度が低いほど、上記相関値が小さくなる。
【００５７】
上述したように、例えば、上記第１の伝搬路関連情報（第１の伝搬路推定値）がｈ（ｎ）により表され、上記第２の伝搬路関連情報（第２の伝搬路推定値）がｈ（ｎ−１）により表される場合に、上記相関値は、例えば、Ｘ（ｎ）により表され、以下のように算出される。
【００５８】
【数１】
2018157267.tif 000003
【００５９】
ここで、以下の項はｈ（ｎ−１）の複素共役を表す（以降の数式においても同じ）。
【００６０】
【数２】
2018157267.tif 000004
【００６１】
例えば、上記相関値は、真値である。一例として、上記相関値は、０．１〜１の値であってもよい。あるいは、上記相関値は、デシベル値であってもよい。この場合に、上記相関値は、−１０ｄＢ〜０ｄＢの値であってもよい。
【００６２】
−出力
例えば、相関情報生成部１３０は、上記相関情報を出力し、当該相関情報は、伝搬路関連情報出力部１４０へ入力される。
【００６３】
（４）伝搬路関連情報出力部１４０
伝搬路関連情報出力部１４０は、使用する伝搬路関連情報（統計値又はそのままの情報）を出力する。
【００６４】
（４−１）第１情報取得部１４１
第１情報取得部１４１は、上記第１の推定期間についての伝搬路推定を通じて生成された伝搬路関連情報（以下、単に「上記第１の推定期間についての伝搬路関連情報」と呼ばれ得る）を取得する。当該伝搬路関連情報（例えば、伝搬路推定値ｈ（ｎ））は、伝搬路関連情報生成部１１０から出力される。簡単に言うと、例えば、第１情報取得部１４１は、最新の伝搬路関連情報を取得する。
【００６５】
（４−２）第２情報取得部１４２
第２情報取得部１４２は、上記相関情報を取得する。
【００６６】
（４−３）第３情報取得部１４３
第３情報取得部１４３は、例えば、上記第２の推定期間についての伝搬路推定を通じて生成された伝搬路関連情報（以下、単に「上記第２の推定期間についての伝搬路関連情報」と呼ばれ得る）を取得する。当該伝搬路関連情報（例えば、伝搬路推定値ｈ（ｎ−１））は、記憶部１２０から出力される。簡単に言うと、例えば、第３情報取得部１４３は、過去の伝搬路関連情報を取得する。
【００６７】
（４−４）制御部１４５
制御部１４５は、上記相関情報に基づいて、伝搬路関連情報の統計値についての制御を行う。
【００６８】
−統計値
−−平均値
例えば、上記統計値は、伝搬路関連情報の平均値である。
【００６９】
具体的には、例えば、上記平均値は、上記第１の推定期間についての伝搬路関連情報（例えば、伝搬路推定値ｈ（ｎ））と、上記第１の推定期間の直前の上記第２の推定期間についての伝搬路関連情報（例えば、伝搬路推定値ｈ（ｎ−１））との平均値である。簡単に言うと、例えば、上記平均値は、最新の伝搬路関連情報と過去の伝搬路関連情報との平均値である。一例として、当該平均値は、単純平均値であり、以下のようなＨ（ｎ）により表される。
【００７０】
【数３】
2018157267.tif 000005
【００７１】
−−用途
例えば、上記統計値は、受信装置１００による受信処理のための情報である。あるいは／さらに、上記統計値は、受信装置１００から送信装置２００への報告のための情報であってもよい。
【００７２】
−制御
例えば、上記制御は、上記統計値を使用するかの判定である。即ち、制御部１４５は、上記相関情報に基づいて、（例えば、受信装置１００による受信処理又は送信装置２００への報告のために）上記統計値を使用するかを判定する。
【００７３】
より具体的には、例えば、上記制御は、上記統計値を使用するか、又は、上記第１の推定期間についての伝搬路関連情報を使用するかの判定である。即ち、制御部１４５は、上記相関情報に基づいて、（例えば、受信装置１００による受信処理又は送信装置２００への報告のために、）上記統計値を使用するか、又は、上記第１の推定期間についての伝搬路関連情報（即ち、統計値ではないそのままの情報）を使用するかを判定する。
【００７４】
さらに具体的には、例えば、制御部１４５は、上記相関度が所定の相関度よりも高い場合に、上記統計値を使用すると判定し、上記相関度が上記所定の相関度よりも低い場合に、上記第１の推定期間についての伝搬路関連情報を使用すると判定する。
【００７５】
一例として、制御部１４５は、相関値Ｘ（ｎ）が閾値よりも大きい場合に、伝搬路推定値の平均値Ｈ（ｎ）を使用すると判定し、相関値Ｘ（ｎ）が上記閾値よりも小さい場合に、そのままの伝搬路推定値ｈ（ｎ）を使用すると判定する。一例として、相関値Ｘ（ｎ）は、０．１〜１の真値であってもよく、上記閾値は、０．１〜１の範囲内の値（例えば０．５）であってもよい。あるいは、相関値Ｘ（ｎ）は、デシベル値であってもよい。この場合に、上記相関値は、−１０ｄＢ〜０ｄＢのデシベル値であってもよく、上記閾値は、−１０ｄＢ〜０ｄＢの範囲内の値であってもよい。
【００７６】
なお、制御部１４５は、上記相関度が上記所定の相関度と等しい場合に、例えば、上記統計値（例えばＨ（ｎ））を使用すると判定する。あるいは、制御部１４５は、上記相関度が上記所定の相関度と等しい場合に、上記第１の推定期間についての伝搬路関連情報（例えばｈ（ｎ））を使用すると判定してもよい。
【００７７】
−出力
例えば、制御部１４５は、上記制御の結果を示す制御情報を出力し、当該制御情報は、出力部１４７へ入力される。
【００７８】
上述したように、例えば、上記制御は、上記統計値を使用するかの判定であり、上記制御情報は、当該判定の結果を示す。
【００７９】
一例として、上記制御情報は、１ビット情報（０又は１）である。この場合に、例えば、上記制御情報は、１である場合に、上記統計値（例えばＨ（ｎ））を使用することを示す。また、上記制御情報は、０である場合に、上記第１の推定期間についての伝搬路関連情報（即ち、統計値ではないそのままの情報）（例えばｈ（ｎ））を使用することを示す。換言すると、上記制御情報は、０である場合に、上記統計値を使用しないことを示す。
【００８０】
（４−５）出力部１４７
出力部１４７は、上記制御情報に基づいて、使用する伝搬路関連情報（上記統計値又はそのままの伝搬路関連情報）を出力する。
【００８１】
例えば、使用する当該伝搬路関連情報は、受信装置１００による受信処理又は送信装置２００への報告のために使用する伝搬路関連情報である。
【００８２】
例えば、上記制御情報が、上記統計値を使用することを示す場合に（制御情報＝１）、出力部１４７は、上記統計値を算出し、出力する。出力部１４７は、第１情報取得部１４１により取得された伝搬路関連情報（例えば伝搬路推定値ｈ（ｎ））と、第３情報取得部１４３により取得された伝搬路関連情報（例えば伝搬路推定値ｈ（ｎ−１））とに基づいて、上記統計値（例えばＨ（ｎ））を算出する。上記統計値の算出手法の例は上述したとおりである。
【００８３】
例えば、上記制御情報が、上記第１の推定期間についての伝搬路関連情報（即ち、統計値ではないそのままの情報）を使用することを示す場合に（制御情報＝０）、出力部１４７は、当該伝搬路関連情報（例えば伝搬路推定値ｈ（ｎ））を出力する。
【００８４】
＜２．３．処理の流れ＞
次に、図４を参照して、第１の実施形態に係る受信装置１００の処理の例を説明する。図４は、第１の実施形態に係る受信装置１００の処理の概略的な流れの例を説明するためのフローチャートである。
【００８５】
伝搬路関連情報生成部１１０は、第１の推定期間についての伝搬路推定を通じて、第１の伝搬路関連情報を生成する（Ｓ３０１）。
【００８６】
相関情報生成部１３０は、上記第１の伝搬路関連情報と第２の伝搬路関連情報との相関に関する相関情報を生成する（Ｓ３０３）。例えば、当該第２の伝搬路関連情報は、上記第１の推定期間の直前の第２の推定期間についての伝搬路推定を通じて生成された伝搬路関連情報である。
【００８７】
第２情報取得部１４２は、上記相関情報を取得する（Ｓ３０５）。
【００８８】
例えば、上記相関情報は、上記第１の伝搬路関連情報と上記第２の伝搬路関連情報との相関度を示す相関値である。
【００８９】
上記相関値が閾値以上である場合には（Ｓ３０７：ＹＥＳ）、制御部１４５は、伝搬路関連情報の平均値を使用すると判定する（Ｓ３０９）。そして、出力部１４７は、上記第１の推定期間についての伝搬路関連情報と、上記第２の推定期間について伝搬路関連情報との平均値を算出し（Ｓ３１１）、当該平均値を出力する（Ｓ３１３）。そして、処理は終了する。
【００９０】
上記相関値が閾値未満である場合には（Ｓ３０７：ＮＯ）、制御部１４５は、上記第１の推定期間についての伝搬路関連情報（即ち、そのままの伝搬路関連情報）を使用すると判定する（Ｓ３１５）。そして、出力部１４７は、上記第１の推定期間についての伝搬路関連情報（即ち、そのままの伝搬路関連情報）を出力する（Ｓ３１７）。そして、処理は終了する。
【００９１】
＜２．４．変形例＞
次に、図５及び図６を参照して、第１の実施形態の様々な変形例を説明する。
【００９２】
（１）第１の変形例
−第２の伝搬路関連情報
上述したように、上記相関情報は、上記第１の伝搬路関連情報と上記第２の伝搬路関連情報との相関に関する情報である。また、上記第１の伝搬路関連情報は、第１の推定期間についての伝搬路推定を通じて生成された伝搬路関連情報であり、上記第２の伝搬路関連情報は、当該第１の推定期間よりも前の１つ以上の推定期間についての伝搬路推定を通じて生成された伝搬路関連情報である。
【００９３】
さらに、上述したように、例えば、上記第２の伝搬路関連情報は、上記第１の推定期間の直前の第２の推定期間についての伝搬路推定を通じて生成された伝搬路関連情報である。しかしながら、第１の実施形態は、この例に限定されない。
【００９４】
第１の実施形態の第１の変形例では、例えば、上記第２の伝搬路関連情報は、上記第１の推定期間よりも前の複数の推定期間についての伝搬路推定を通じて生成された伝搬路関連情報の統計値であってもよい。簡単に言うと、例えば、上記第２の伝搬路関連情報は、過去の伝搬路関連情報の統計値（過去の統計値）であってもよい。
【００９５】
例えば、第１の推定期間は、ｎ番目の推定期間であり、上記複数の推定期間は、ｎ−１番目以前の推定期間であり、上記第２の伝搬路関連情報は、ｎ−１番目以前の推定期間についての伝搬路関連情報の統計値である。より具体的には、例えば、上記第２の伝搬路関連情報は、ｎ−１番目以前の推定期間についての伝搬路推定値の平均値Ｈ（ｎ−１）である。
【００９６】
−相関情報
第１の変形例では、上記相関値Ｘ（ｎ）は、以下のように算出される。
【００９７】
【数４】
2018157267.tif 000006
【００９８】
−統計値
上述したように、制御部１４５は、上記相関情報に基づいて、伝搬路関連情報の統計値についての制御を行う。また、上述したように、例えば、上記統計値は、伝搬路関連情報の平均値である。
【００９９】
上述したように、例えば、上記平均値は、上記第１の推定期間についての伝搬路関連情報（例えば、伝搬路推定値ｈ（ｎ））と、上記第１の推定期間の直前の上記第２の推定期間についての伝搬路関連情報（例えば、伝搬路推定値ｈ（ｎ−１））との平均値である。簡単に言うと、例えば、上記平均値は、最新の伝搬路関連情報と過去の伝搬路関連情報との平均値である。しかしながら、第１の実施形態は、この例に限定されない。
【０１００】
第１の実施形態の第１の変形例では、例えば、上記平均値は、上記第１の推定期間についての伝搬路関連情報（例えば、伝搬路推定値ｈ（ｎ））と、上記第１の推定期間よりも前の複数の推定期間についての伝搬路推定を通じて生成された伝搬路関連情報の以前の平均値（例えば、伝搬路推定値の平均値Ｈ（ｎ−１））との平均値であってもよい。簡単に言うと、例えば、上記平均値は、最新の伝搬路関連情報と伝搬路関連情報の過去の平均値との平均値である。一例として、当該平均値は、以下のようなＨ（ｎ）により表される。
【０１０１】
【数５】
2018157267.tif 000007
【０１０２】
（２）第２の変形例
上述したように、例えば、伝搬路関連情報生成部１１０は、周波数ブロックごとに、伝搬路推定を行い、伝搬路関連情報を生成する。即ち、周波数ブロックごとの伝搬路関連情報が生成される。
【０１０３】
そのため、上述した例では、上記相関情報の生成に使用される上記第１の伝搬路関連情報及び上記第２の伝搬路関連情報も、周波数ブロックについての伝搬路推定を通じて生成された伝搬路関連情報（以下、単に「周波数ブロックについての伝搬路関連情報」と呼ばれ得る）である。よって、上記相関情報は、周波数ブロックについての伝搬路関連情報の相関に関する情報である。しかしながら、第１の実施形態は、この例に限定されない。
【０１０４】
−周波数帯域全体
第１の実施形態の第２の変形例では、例えば、上記第１の伝搬路関連情報及び上記第２の伝搬路関連情報は、周波数帯域全体についての伝搬路推定を通じて生成された伝搬路関連情報（以下、単に「周波数帯域全体についての伝搬路関連情報」と呼ばれ得る）である。これにより、上記相関情報は、周波数帯域全体についての伝搬路関連情報の相関に関する情報となる。
【０１０５】
例えば、上記周波数帯域は、端末装置（受信装置１００）に割り当てられた周波数帯域である。あるいは、上記周波数帯域は、システム帯域であってもよい。
【０１０６】
これにより、例えば、周波数帯域全体についての相関に基づいて、伝搬路関連情報の統計値についての制御を行うことが可能になる。
【０１０７】
−周波数帯域の一部
あるいは、第１の実施形態の第２の変形例では、上記第１の伝搬路関連情報及び上記第２の伝搬路関連情報は、周波数帯域の一部についての伝搬路推定を通じて生成された伝搬路関連情報（以下、単に「周波数帯域の一部についての伝搬路関連情報」と呼ばれ得る）であってもよい。とりわけ、上記周波数帯域の上記一部は、上記周波数帯域に含まれる複数の周波数ブロックのうちの、受信電力が大きい又は受信品質が高い周波数ブロックであってもよい。当該受信品質は、ＳＮＲ若しくはＳＩＮＲであってもよく、あるいは、他の品質であってもよい。
【０１０８】
例えば、上記周波数帯域は、端末装置（受信装置１００）に割り当てられた周波数帯域であってもよい。あるいは、上記周波数帯域は、システム帯域であってもよい。
【０１０９】
図５は、第１の実施形態の第２の変形例において相関情報の生成に使用される伝搬路関連情報のための伝搬路推定の例を説明するための説明図である。図５を参照すると、周波数ブロックとしてブロック＃０〜＃３が示されている。ブロック＃０〜＃３は、受信装置１００に割り当てられた周波数帯域である。あるいは、ブロック＃０〜＃３は、システム帯域であってもよい。この例では、ブロック＃０及びブロック＃３の受信電力が閾値（Ｔｈ）よりも大きいので、ブロック＃０及びブロック＃３についての伝搬路推定が行われ、伝搬路関連情報（即ち、ブロック＃０及びブロック＃３についての伝搬路関連情報）が生成される。
【０１１０】
これにより、例えば、受信電力が大きい／受信品質が高い周波数ブロックについての相関に基づいて、伝搬路関連情報の統計値についての制御を行うことが可能になる。
【０１１１】
以上、第２の変形例を説明したが、例えば、第２の変形例でも、上記統計値の生成に使用される伝搬路関連情報は、周波数ブロックごとの伝搬路関連情報であり、上記統計値は、周波数ブロックごとの伝搬路関連情報の統計値である。このように、上記相関情報の生成に使用される伝搬路関連情報と、上記統計値の生成に使用される伝搬路関連情報とは、対象周波数の点で異なり得る。
【０１１２】
（３）第３の変形例
上述したように、制御部１４５は、上記相関情報に基づいて、伝搬路関連情報の統計値についての制御を行う。例えば、上述したように、当該制御は、上記統計値を使用するかの判定である。即ち、制御部１４５は、上記相関情報に基づいて、（例えば、受信装置１００による受信処理又は送信装置２００への報告のために）上記統計値を使用するかを判定する。しかしながら、第１の実施形態は、この例に限定されない。
【０１１３】
−制御
第１の実施形態の第３の変形例では、上記制御は、上記統計値の算出に使用するパラメータの決定であってもよい。即ち、制御部１４５は、上記相関情報に基づいて、上記統計値の算出に使用するパラメータを決定してもよい。
【０１１４】
例えば、上記統計値は、伝搬路関連情報の加重平均値であってもよく、上記パラメータは、加重平均値の算出に使用する重み係数であってもよい。即ち、制御部１４５は、上記相関情報に基づいて、伝搬路関連情報の加重平均値の算出に使用する重み係数を決定してもよい。上述したように、例えば、伝搬路関連情報は伝搬路推定値である。
【０１１５】
−−第１の例
第１の例として、上記加重平均値は以下のようなＨ（ｎ）により表される。
【０１１６】
【数６】
2018157267.tif 000008
【０１１７】
上述したように、ｈ（ｎ）は、ｎ番目の推定期間についての伝搬路推定値であり、ｈ（ｎ−１）は、ｎ−１番目の推定期間についての伝搬路推定値であり、λ及び（１−λ）は、重み係数である。制御部１４５は、相関値Ｘ（ｎ）に基づいて、λ及び（１−λ）を決定する。
【０１１８】
一例として、制御部１４５は、以下のように、重み係数λが相関値Ｘ（ｎ）となるように重み係数λを決定する。
【０１１９】
【数７】
2018157267.tif 000009
【０１２０】
なお、重み係数λは、相関値Ｘ（ｎ）そのものを用いて算出するのではなく、相関値Ｘ（ｎ）から導出されてもよい。例えば、重み係数λは、相関値Ｘ（ｎ）を引数とする関数を使用して決定されてもよい。あるいは、重み係数λは、相関値Ｘ（ｎ）に対応する重み係数λを示すテーブルを使用して決定されてもよい。
【０１２１】
−−第２の例
第２の例として、上記加重平均値は以下のようなＨ（ｎ）により表されてもよい。
【０１２２】
【数８】
2018157267.tif 000010
【０１２３】
上述したように、ｈ（ｎ）は、ｎ番目の推定期間についての伝搬路推定値であり、Ｈ（ｎ−１）は、ｎ−１番目以前の推定期間についての伝搬路推定値の平均値であり、λ及び（１−λ）は、重み係数である。制御部１４５は、相関値Ｘ（ｎ）に基づいて、λ及び（１−λ）を決定する。
【０１２４】
一例として、第１の変形例と同様に、相関値Ｘ（ｎ）は、ｈ（ｎ）及びＨ（ｎ−１）の相関度を示す値であってもよく、制御部１４５は、以下のように、重み係数λが相関値Ｘ（ｎ）となるように重み係数λを決定してもよい。
【０１２５】
【数９】
2018157267.tif 000011
【０１２６】
−出力
上述したように、例えば、制御部１４５は、上記制御の結果を示す制御情報を出力し、当該制御情報は、出力部１４７へ入力される。
【０１２７】
第３の変形例では、上記制御は、上記統計値（例えば加重平均値）の算出に使用するパラメータ（例えば重み係数）の決定であり、例えば、上記制御情報は、当該パラメータ
である。
【０１２８】
なお、出力部１４７は、上記制御情報（例えば重み係数）に基づいて、上記統計値（例えば加重平均値）を算出し、出力する。
【０１２９】
以上、第３の変形例を説明した。第３の変形例によっても、伝搬環境により適した伝搬路関連情報の使用が可能になる。具体的には、例えば、相関情報に基づくパラメータ（重み係数）の決定により、伝搬環境の変動が速い場合には、伝搬路変動への追従性能を上げ、伝搬環境の変動が遅い場合には、平均化利得を上げることも可能になる。
【０１３０】
（４）第４の変形例
上述したように、例えば、伝搬路関連情報は、例えば、伝搬路推定値である。しかしながら、第１の実施形態は、この例に限定されない。
【０１３１】
−第１の例：固有値及び固有ベクトル
第１の実施形態の第４の変形例では、第１の例として、伝搬路関連情報は、伝搬路推定値から算出される固有値及び固有ベクトルであってもよい。
【０１３２】
例えば、上記相関情報は、第１の固有値及び固有ベクトルと第２の固有値及び固有ベクトルとの相関に関する情報であってもよい。上記第１の固有値及び固有ベクトルは、第１の推定期間についての伝搬路推定を通じて生成された固有値及び固有ベクトルであってもよい。また、上記第２の固有値及び固有ベクトルは、上記第１の推定期間よりも前の１つ以上の推定期間についての伝搬路推定を通じて生成された固有値及び固有ベクトルであってもよい。
【０１３３】
また、例えば、上記統計値は、固有値及び固有ベクトルの統計値（例えば平均値）であってもよい。
【０１３４】
なお、出力部１４７により出力される固有値及び固有ベクトル（統計値又はそのままの情報）は、受信処理又は送信装置２００への報告のために使用されてもよい。この固有値及び固有ベクトルそのものが報告されてもよく、この固有値及び固有ベクトルから生成された情報（例えばビームフォーミング重み）が報告されてもよい。
【０１３５】
−第２の例：ビームフォーミング重み
第２の例として、伝搬路関連情報は、伝搬路推定値から算出されるビームフォーミング重みであってもよい。ビームフォーミング重みは、伝搬路推定値から算出される固有値及び固有ベクトルに基づいて算出されてもよい。
【０１３６】
例えば、上記相関情報は、第１のビームフォーミング重みと第２のビームフォーミング重みとの相関に関する情報であってもよい。上記第１のビームフォーミング重みは、第１の推定期間についての伝搬路推定を通じて生成されたビームフォーミング重みであってもよい。また、上記第２のビームフォーミング重みは、上記第１の推定期間よりも前の１つ以上の推定期間についての伝搬路推定を通じて生成されたビームフォーミング重みであってもよい。
【０１３７】
また、例えば、上記統計値は、ビームフォーミング重みの統計値（例えば平均値）であってもよい。
【０１３８】
なお、出力部１４７により出力されるビームフォーミング重み（統計値又はそのままの情報）は、受信処理又は送信装置２００への報告のために使用されてもよい。
【０１３９】
（５）第５の変形例
第１の実施形態の第５の変形例では、受信装置１００のさらなる動作が追加されてもよい。
【０１４０】
図６は、第１の実施形態の第５の変形例に係る伝搬路関連情報出力部１４０の概略的な構成の例を示すブロック図である。図５を参照すると、第５の変形例では、伝搬路関連情報出力部１４０は、周期決定部１４９をさらに含む。その他の点については、図６の例は、図３の例と同様である。
【０１４１】
例えば、周期決定部１４９は、上記制御の結果を示す制御情報に基づいて、伝搬路推定値から固有値及び固有ベクトル又はビームフォーミング重みを算出する周期（以下「算出周期」と呼ばれ得る）を決定する。制御部１４５が上記制御情報を出力し、当該制御情報が周期決定部１４９に入力される。上記算出周期は、伝搬路推定値に基づいて固有値及び固有ベクトル又はビームフォーミング重みを更新する周期（即ち、更新周期）とも言える。
【０１４２】
−第１の例
上述したように、例えば、上記制御は、伝搬路関連情報の統計値を使用するかの判定である。この場合に、例えば、上記制御情報は、当該判定の結果（例えば、伝搬路関連情報の統計値を使用するか否か）を示す情報である。周期決定部１４９は、上記制御情報に基づいて、所定期間内に伝搬路関連情報の統計値が使用される回数をカウントし、当該回数に基づいて、上記算出周期を決定する。
【０１４３】
例えば、周期決定部１４９は、上記回数がより多い場合（即ち伝搬環境の変動が遅い場合）には、上記算出周期がより長い周期になるように上記算出周期を決定し、上記回数がより少ない場合（即ち伝搬環境の変動が早い場合）には、上記算出周期がより短い周期になるように上記算出周期を決定する。
【０１４４】
より具体的には、例えば、周期決定部１４９は、上記回数を引数とする関数を使用して、上記算出周期を算出し、決定する。あるいは、周期決定部１４９は、上記回数に対応する周期を示すテーブルを使用して、上記算出周期を決定してもよい。
【０１４５】
なお、周期決定部１４９は、上記統計値が使用される回数ではなく、上記統計値が使用される割合に基づいて、上記周期を決定してもよい。当該割合が大きいことは、上記回数が多いことに相当し、当該割合が小さいことは、上記回数が少ないことに相当する。
【０１４６】
−第２の例
第３の変形例として説明したように、上記制御は、上記統計値の算出に使用するパラメータの決定であってもよい。この場合に、上記制御情報は、上記パラメータであってもよい。周期決定部１４９は、上記パラメータに基づいて、上記算出周期を決定してもよい。上述したように、上記パラメータは、加重平均値の算出に使用する重み係数であってもよい。
【０１４７】
例えば、周期決定部１４９は、上記重み係数（λ）がより小さい場合（即ち伝搬環境の変動が遅い場合）には、上記算出周期がより長い周期になるように上記算出周期を決定し、上記重み係数（λ）がより大きい場合（即ち伝搬環境の変動が早い場合）には、上記算出周期がより短い周期になるように上記算出周期を決定してもよい。
【０１４８】
より具体的には、例えば、周期決定部１４９は、上記パラメータ（例えば重み係数）を引数とする関数を使用して、上記算出周期を算出し、決定してもよい。あるいは、周期決定部１４９は、上記パラメータ（例えば重み係数）に対応する周期を示すテーブルを使用して、上記算出周期を決定してもよい。
【０１４９】
−その他
周期決定部１４９は、上記制御情報ではなく上記相関情報に基づいて、上記算出周期を決定してもよい。この場合には、第２情報取得部１４２が上記相関情報を出力し、当該相関情報が周期決定部１４９に入力されてもよい。
【０１５０】
例えば、周期決定部１４９は、上記相関値（Ｘ（ｎ））がより大きい場合（即ち伝搬環境の変動が遅い場合）には、上記算出周期がより長い周期になるように上記算出周期を決定し、上記相関値（Ｘ（ｎ））がより小さい場合（即ち伝搬環境の変動が早い場合）には、上記算出周期がより短い周期になるように上記算出周期を決定してもよい。
【０１５１】
より具体的には、例えば、周期決定部１４９は、上記相関値を引数とする関数を使用して、上記算出周期を算出し、決定してもよい。あるいは、周期決定部１４９は、上記相関値に対応する周期を示すテーブルを使用して、上記算出周期を決定してもよい。
【０１５２】
−出力
周期決定部１４９は、上記算出周期を示す周期情報を出力する。そして、受信装置１００は、当該周期情報に基づいて、上記算出周期で、伝搬路推定値から固有値及び固有ベクトル又はビームフォーミング重みを算出する。
【０１５３】
−さらなる動作
例えば、受信装置１００は、上記算出周期に応じた周波数分解能の固有値及び固有ベクトル、並びに／又はビームフォーミング重みを算出してもよい。また、そのために、受信装置１００は、上記周波数分解能の伝搬路推定値を算出してもよい。
【０１５４】
例えば、受信装置１００は、上記算出周期がより長い場合（即ち算出の負荷が小さい場合）には、周波数分解能がより高い（即ちより狭い周波数ブロックの）固有値及び固有ベクトル、並びに／又はビームフォーミング重みを算出してもよい。また、受信装置１００は、上記算出周期がより短い場合（即ち算出の負荷が大きい場合）には、周波数分解能がより低い（即ちより広い周波数ブロックの）固有値及び固有ベクトル、並びに／又はビームフォーミング重みを算出してもよい。
【０１５５】
これにより、受信装置１００の処理能力を活かした算出が可能になる。
【０１５６】
以上、第５の変形例を説明した。第５の変形例によれば、受信装置１００は、伝搬環境に応じた周期で固有値/固有ベクトルまたはビームフォーミング重みを算出し、更新することが可能になる。
【０１５７】
（６）第６の変形例
上述したように、制御部１４５は、上記相関情報に基づいて、伝搬路関連情報の統計値についての制御を行う。また、上述したように、例えば、上記統計値は、伝搬路関連情報の平均値である。しかしながら、第１の実施形態は、この例に限定されない。
【０１５８】
第１の実施形態の第６の変形例では、上記統計値は、中央値又は最頻値等の他の種類の値であってもよい。
【０１５９】
（７）第７の変形例
上述したように、例えば、受信装置１００は、端末装置であり、送信装置２００は、基地局である。また、受信装置１００（伝搬路関連情報生成部１１０）により行われる伝搬路推定は、基地局（送信装置２００）から端末装置（受信装置１００）への伝搬路の伝搬路推定である。即ち、上記伝搬路推定は、ダウンリンクの伝搬路推定である。しかしながら、第１の実施形態はこの例に限定されない。
【０１６０】
第１の実施形態の第６の変形例では、受信装置１００が基地局であり、送信装置２００が端末装置であってもよい。また、受信装置１００（伝搬路関連情報生成部１１０）により行われる伝搬路推定は、端末装置（送信装置２００）から基地局（受信装置１００）への伝搬路の伝搬路推定であってもよい。即ち、上記伝搬路推定は、アップリンクの伝搬路推定であってもよい。
【０１６１】
なお、上記基地局（受信装置１００）は、カバレッジエリア内に位置する端末装置との無線通信を行うノードであり、換言すると無線アクセスネットワーク（Radio  Access  Network：ＲＡＮ）のノードである。例えば、上記基地局は、ｅＮＢ（evolved  Node  B）であってもよく、又は、５ＧにおけるｇＮＢ（generation  Node  B）であってもよい。上記基地局は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、上記基地局は、単一のユニット（又は単一のノード）であってもよい。この場合に、上記基地局は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【０１６２】
以上、第１の実施形態の第１〜第７の変形例を説明したが、当然ながら、これらの変形例は組み合わせられてもよい。
【０１６３】
以上、第１の実施形態を説明した。第１の実施形態によれば、例えば、伝搬環境により適した伝搬路関連情報の使用が可能になる。
【０１６４】
＜＜３．第２の実施形態＞＞
続いて、図７及び図８を参照して、本発明の第２の実施形態を説明する。上述した第１の実施形態は、具体的な実施形態であるが、第２の実施形態は、より一般化された実施形態である。
【０１６５】
＜３．１．無線通信装置の構成＞
まず、図７を参照して、第２の実施形態に係る無線通信装置４００の構成の例を説明する。図７は、第２の実施形態に係る無線通信装置４００の概略的な構成の例を示すブロック図である。図７を参照すると、無線通信装置４００は、情報取得部４１０及び制御部４２０を備える。
【０１６６】
情報取得部４１０及び制御部４２０は、ベースバンド（Baseband：ＢＢ）プロセッサ及び／又は他の種類のプロセッサ等の１つ以上のプロセッサと、プログラム（命令）を記憶するメモリとにより実装されてもよい。なお、当該メモリは、当該１つ以上のプロセッサの外に位置してもよく、又は、当該１つ以上のプロセッサの中に含まれていてもよい。
【０１６７】
無線通信装置４００は、プログラム（命令）を記憶するメモリと、当該プログラム（命令）を実行可能な１つ以上のプロセッサとを含んでもよい。当該１つ以上のプロセッサは、上記プログラムを実行して、情報取得部４１０及び制御部４２０の動作を行ってもよい。上記プログラムは、情報取得部４１０及び制御部４２０の動作をプロセッサに実行させるためのプログラムであってもよい。
【０１６８】
なお、当然ながら、無線通信装置４００は、情報取得部４１０及び制御部４２０以外の構成要素も含み得る。
【０１６９】
情報取得部４１０は、第１の推定期間についての伝搬路推定を通じて生成された第１の伝搬路関連情報と、上記第１の推定期間よりも前の１つ以上の推定期間についての伝搬路推定を通じて生成された第２の伝搬路関連情報と、の相関に関する相関情報を取得する。
【０１７０】
制御部４２０は、上記相関情報に基づいて、伝搬路関連情報の統計値についての制御を行う。
【０１７１】
上記相関情報、上記統計値及上記制御についての説明（並びに推定期間、伝搬路推定及び伝搬路関連情報等についての説明）は、例えば、第１の実施形態におけるこれらについての説明と同じである。よって、ここでは重複する説明を省略する。
【０１７２】
一例として、情報取得部４１０は、第１の実施形態に係る第２情報取得部１４２と同様に動作し、制御部４２０は、第１の実施形態に係る制御部１４５と同様に動作してもよい。また、
【０１７３】
一例として、第２の実施形態に係る無線通信装置４００は、第１の実施形態に係る受信装置１００であってもよい。あるいは、第２の実施形態に係る無線通信装置４００は、第１の実施形態に係る受信装置１００に含まれる装置、ユニット又はモジュールであってもよい。
【０１７４】
当然ながら、第２の実施形態はこれらの例には限定されない。
【０１７５】
＜３．２．処理の流れ＞
次に、図８を参照して、第２の実施形態に係る無線通信装置４００の処理の例を説明する。図８は、第２の実施形態に係る無線通信装置４００の処理の概略的な流れの例を説明するためのフローチャートである。
【０１７６】
情報取得部４１０は、第１の推定期間についての伝搬路推定を通じて生成された第１の伝搬路関連情報と、上記第１の推定期間よりも前の１つ以上の推定期間についての伝搬路推定を通じて生成された第２の伝搬路関連情報と、の相関に関する相関情報を取得する（Ｓ５０１）。
【０１７７】
制御部４２０は、上記相関情報に基づいて、伝搬路関連情報の統計値についての制御を行う（Ｓ５０３）。そして、処理は終了する。
【０１７８】
以上、第２の実施形態を説明した。第２の実施形態によれば、例えば、伝搬環境により適した伝搬路関連情報の使用が可能になる。なお、第１の実施形態の各変形例（第１〜第７の変形例）は、第２の実施形態にも適用され得る。
【０１７９】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１８０】
例えば、本明細書に記載されている処理におけるステップは、必ずしもフローチャートに記載された順序に沿って時系列に実行されなくてよい。例えば、処理におけるステップは、フローチャートとして記載した順序と異なる順序で実行されても、並列的に実行されてもよい。また、処理におけるステップの一部が削除されてもよく、さらなるステップが処理に追加されてもよい。
【０１８１】
また、本明細書において説明した受信装置又は無線通信装置の構成要素（例えば、情報取得部及び／又は制御部）を備える装置、ユニット又はモジュールが提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【０１８２】
上記実施形態の一部又は全部は、以下の付記のようにも記載され得るが、以下には限られない。
【０１８３】
（付記１）
第１の推定期間についての伝搬路推定を通じて生成された第１の伝搬路関連情報と、前記第１の推定期間よりも前の１つ以上の推定期間についての伝搬路推定を通じて生成された第２の伝搬路関連情報と、の相関に関する相関情報を取得する情報取得部と、
前記相関情報に基づいて、伝搬路関連情報の統計値についての制御を行う制御部と、
を備える無線通信装置。
【０１８４】
（付記２）
前記統計値は、伝搬路関連情報の平均値である、付記１に記載の無線通信装置。
【０１８５】
（付記３）
前記平均値は、前記第１の推定期間についての伝搬路推定を通じて生成された伝搬路関連情報と、前記第１の推定期間の直前の第２の推定期間についての伝搬路推定を通じて生成された伝搬路関連情報との平均値である、付記２に記載の無線通信装置。
【０１８６】
（付記４）
前記平均値は、前記第１の推定期間についての伝搬路推定を通じて生成された伝搬路関連情報と、前記第１の推定期間よりも前の複数の推定期間についての伝搬路推定を通じて生成された伝搬路関連情報の以前の平均値との平均値である、付記２に記載の無線通信装置。
【０１８７】
（付記５）
前記制御は、前記統計値を使用するかの判定である、付記１〜４のいずれか１項に記載の無線通信装置。
【０１８８】
（付記６）
前記制御は、前記統計値を使用するか、又は、前記第１の推定期間についての伝搬路推定を通じて生成された伝搬路関連情報を使用するかの判定である、付記５に記載の無線通信装置。
【０１８９】
（付記７）
前記相関情報は、前記第１の伝搬路関連情報と前記第２の伝搬路関連情報との相関度を示す情報であり、
前記制御部は、前記相関情報により示される前記相関度が所定の相関度よりも高い場合に、前記統計値を使用すると判定する、
付記５又は６に記載の無線通信装置。
【０１９０】
（付記８）
前記制御部は、前記相関情報により示される前記相関度が前記所定の相関度よりも低い場合に、前記第１の推定期間についての伝搬路推定を通じて生成された伝搬路関連情報を使用すると判定する、付記７に記載の無線通信装置。
【０１９１】
（付記９）
前記制御は、前記統計値の算出に使用するパラメータの決定である、付記１〜４のいずれか１項に記載の無線通信装置。
【０１９２】
（付記１０）
前記統計値は、伝搬路関連情報の加重平均値であり、
前記パラメータは、加重平均値の算出に使用する重み係数である、
付記９に記載の無線通信装置。
【０１９３】
（付記１１）
前記第２の伝搬路関連情報は、前記第１の推定期間の直前の第２の推定期間についての伝搬路推定を通じて生成された伝搬路関連情報である、付記１〜１０のいずれか１項に記載の無線通信装置。
【０１９４】
（付記１２）
前記第２の伝搬路関連情報は、前記第１の推定期間よりも前の複数の推定期間についての伝搬路推定を通じて生成された伝搬路関連情報の統計値である、付記１〜１０のいずれか１項に記載の無線通信装置。
【０１９５】
（付記１３）
前記第１の伝搬路関連情報及び前記第２の伝搬路関連情報は、周波数帯域全体についての伝搬路推定を通じて生成された伝搬路関連情報である、付記１〜１２のいずれか１項に記載の無線通信装置。
【０１９６】
（付記１４）
前記第１の伝搬路関連情報及び前記第２の伝搬路関連情報は、周波数帯域の一部についての伝搬路推定を通じて生成された伝搬路関連情報である、付記１〜１２のいずれか１項に記載の無線通信装置。
【０１９７】
（付記１５）
前記周波数帯域の前記一部は、前記周波数帯域に含まれる複数の周波数ブロックのうちの、受信電力が大きい又は受信品質が高い周波数ブロックである、付記１４に記載の無線通信装置。
【０１９８】
（付記１６）
前記周波数帯域は、端末装置に割り当てられた周波数帯域である、付記１３〜１５のいずれか１項に記載の無線通信装置。
【０１９９】
（付記１７）
前記周波数帯域は、システム帯域である、付記１３〜１５のいずれか１項に記載の無線通信装置。
【０２００】
（付記１８）
前記第１の伝搬路関連情報、前記第２の伝搬路関連情報、及び前記伝搬路関連情報は、伝搬路推定値である、付記１〜１７のいずれか１項に記載の無線通信装置。
【０２０１】
（付記１９）
前記第１の伝搬路関連情報、前記第２の伝搬路関連情報、及び前記伝搬路関連情報は、伝搬路推定値から算出される固有値及び固有ベクトルである、付記１〜１７のいずれか１項に記載の無線通信装置。
【０２０２】
（付記２０）
前記第１の伝搬路関連情報、前記第２の伝搬路関連情報、及び前記伝搬路関連情報は、伝搬路推定値から算出されるビームフォーミング重みである、付記１〜１７のいずれか１項に記載の無線通信装置。
【０２０３】
（付記２１）
前記制御の結果を示す制御情報、又は前記相関情報に基づいて、伝搬路推定値から固有値及び固有ベクトル又はビームフォーミング重みを算出する周期を決定する周期決定部、をさらに備える、付記１〜２０のいずれか１項に記載の無線通信装置。
【０２０４】
（付記２２）
前記制御は、前記統計値を使用するかの判定であり、
前記周期決定部は、伝搬路関連情報の統計値が使用される回数又は割合に基づいて、前記周期を決定する、
付記２１に記載の無線通信装置。
【０２０５】
（付記２３）
前記制御は、前記統計値の算出に使用するパラメータの決定であり、
前記制御情報は、前記パラメータである、
付記２１に記載の無線通信装置。
【０２０６】
（付記２４）
前記統計値は、前記無線通信装置による受信処理のための情報である、付記１〜２３のいずれか１項に記載の第１の無線通信装置。
【０２０７】
（付記２５）
前記統計値は、前記無線通信装置から他の無線通信装置への報告のための情報である、付記１〜２４のいずれか１項に記載の第１の無線通信装置。
【０２０８】
（付記２６）
前記無線通信装置は、端末装置であり、
前記伝搬路推定は、ダウンリンクの伝搬路推定である、
付記１〜２５のいずれか１項に記載の第１の無線通信装置。
【０２０９】
（付記２７）
前記無線通信装置は、基地局であり、
前記伝搬路推定は、アップリンクの伝搬路推定である、
付記１〜２５のいずれか１項に記載の第１の無線通信装置。
【０２１０】
（付記２８）
第１の推定期間についての伝搬路推定を通じて生成された第１の伝搬路関連情報と、前記第１の推定期間よりも前の１つ以上の推定期間についての伝搬路推定を通じて生成された第２の伝搬路関連情報と、の相関に関する相関情報を取得することと、
前記相関情報に基づいて、伝搬路関連情報の統計値についての制御を行うことと、
を含む方法。
【０２１１】
（付記２９）
第１の推定期間についての伝搬路推定を通じて生成された第１の伝搬路関連情報と、前記第１の推定期間よりも前の１つ以上の推定期間についての伝搬路推定を通じて生成された第２の伝搬路関連情報と、の相関に関する相関情報を取得することと、
前記相関情報に基づいて、伝搬路関連情報の統計値についての制御を行うことと、
をプロセッサに実行させるプログラム。
【０２１２】
（付記３０）
第１の推定期間についての伝搬路推定を通じて生成された第１の伝搬路関連情報と、前記第１の推定期間よりも前の１つ以上の推定期間についての伝搬路推定を通じて生成された第２の伝搬路関連情報と、の相関に関する相関情報を取得することと、
前記相関情報に基づいて、伝搬路関連情報の統計値についての制御を行うことと、
をプロセッサに実行させるプログラムを記録したコンピュータに読み取り可能な非一時的記録媒体。
【産業上の利用可能性】
【０２１３】
移動体通信システムにおいて、伝搬環境により適した伝搬路関連情報を使用することができる。
【符号の説明】
【０２１４】
１        システム
１００    受信装置
１４２    第２情報取得部
１４５    制御部
１４９    周期決定部
２００    送信装置
４００    無線通信装置
４１０    情報取得部
４２０    制御部
【図１】
2018157267.tif 000012
【図２】
2018157267.tif 000013
【図３】
2018157267.tif 000014
【図４】
2018157267.tif 000015
【図５】
2018157267.tif 000016
【図６】
2018157267.tif 000017
【図７】
2018157267.tif 000018
【図８】
2018157267.tif 000019